(57)【要約】      （修正有）【課題】プラグ転換可能な電源アダプタの提供。【解決手段】プラグ転換可能な電源アダプタ１であって、異なる地域の異なる電源差込口と規格に符合し、電源アダプタの実用功能を増加させるプラグ２の変更、或いは、転換が可能な電源アダプタ（変圧器）である。プラグ転換可能な電源アダプタは、公知のアダプタの固定式プラグに対し改良を加え、主に、電源アダプタ主体に共通差込口１３を配置し、各種規格のプラグと電源アダプタ主体１の両者間に、分離と挿入能力を有させる。この他、各プラグに設けられたほぞ素子と電源アダプタ主体内部に対応するほぞ対応素子により、快速に転換を完成する。【選択図】図１
0003128357.tif 000002
【実用新案登録請求の範囲】
【請求項１】
プラグ転換可能な電源アダプタであって、主に、電源アダプタ主体と各種規格と形態のプラグを相互挿入して構成され、その特徴は、
前記電源アダプタ主体一側に共通差込口を有し、この差込口は、前記電源アダプタハウジングに設けられた嵌合槽内に嵌置され、次に、前記嵌合槽内の同一上部に、ほぞ槽を設置し、プラグ底部のほぞ素子が前記電源アダプタ内部に設けられたほぞユニットに対応し、
前記ほぞユニットは、前記電源アダプタ主体内部に配置、制限され、前記ほぞユニットを前記ほぞ槽に対応させ、主に、弾性素子、ボタン、ほぞ対応素子により一体に組み合わされてなり、前記弾性素子は覆蓋式軸棒内に位置し、前記ボタンと前記ほぞ素子は一体の連動構造であり、且つ、前記ボタンは上ハウジングの貫通孔に対応し、前記ボタン局部を前記上ハウジング外に貫出させ、前記ボタンを押した後、前記ほぞ素子を連動し、
前記プラグは、異なる形態と規格を有し、その底部は、共通プラグを有し、一側に突出式ほぞを有し、これにより、このほぞが前記ほぞ槽を貫通した後、前記主体内部のほぞ対応素子と配合性の定位を形成することを特徴とする電源アダプタ。
【考案の詳細な説明】
【技術分野】
【０００１】
本考案はプラグ転換可能な電源アダプタに関し、詳細には、異なる地域の異なる電源差込口と規格に符合し、電源アダプタの実用功能を増加させるプラグの変更、或いは、転換が可能な電源アダプタ（変圧器）に関する。
【背景技術】
【０００２】
現有の電源アダプターは、主に、アダプタ主体と、主体上に配設されたプラグと、からなる。プラグは、主に、電源差込口に挿入されて、家電はアダプタにより電流、電圧を転換後、電気製品を使用したり、充電したりする。しかし、このような電源アダプタの構造は、以下のような欠点がある。
【０００３】
１．公知の電源アダプタのプラグは、電源線により連設、或いは、直接、電源アダプタ主体上に配置しても、プラグはアダプタ主体の大負担で、この負担は、特に、「収蔵と携帯」の二大要求において、明らかな欠点である。主に、硬性のプラグの固定形式は、垂直状で呈現される（プラグは直接電源アダプタ主体上に配置される）ので、放置空間が増加し、よって、収蔵と携帯が不便である。更に、硬性のプラグは圧力を受けて変形するか、或いは、圧力を受けて高価な電化製品を損壊することもあり、重大な損失である。
２．公知の電源アダプタのプラグは、一国、或いは、一地域での使用に限られ、例えば、日本、アメリカ、ドイツ、或いは、イギリス等、電源プラグが異なり、規格と形態も完全に異なる。よって、日本では適用できても、アメリカやドイツでは適用できないので、国際互換性が達成されない。
【０００４】
国際化が進む中、各種電子製品の異なる規格により、使用者は別途に購入を余儀なくされるので、コストの負担になる。
【考案の開示】
【考案が解決しようとする課題】
【０００５】
よって、本考案は、プラグ転換可能な電源アダプタを提供し、主に、公知の電源アダプタに対し改良を加え、「分解と快速転換」功能により、上述の問題を改善し、同時に、電源アダプタの携帯と収蔵問題を改善し、最適な実用効果を達成することを目的とする。
【課題を解決するための手段】
【０００６】
上述の目的を達成するため、本考案のプラグ転換可能な電源アダプタは、公知のアダプタの固定式プラグに対し改良を加え、主に、電源アダプタ主体に共通差込口を配置し、各種規格のプラグと電源アダプタ主体の両者間に、分離と挿入能力を有させる。この他、各プラグに設けられたほぞ素子と電源アダプタ主体内部に対応するほぞ対応素子により、快速に転換を完成し、実用、新規的、付加価値を増加する効果を達成する。      
【考案の効果】
【０００７】
本考案の電源アダプタ主体は、それぞれ、各国、地域の異なる規格と形態のプラグに適用でき、幅広い実用性と新規性を有する。
【考案を実施するための最良の形態】
【０００８】
図１、図２で示されるように、本案の全体構造は、電源アダプタ主体（１）と各種規格と形態のプラグ（２）を相互に挿入してなる。電源アダプタ（１）は、上下ハウジング（１１）（１２）、共通差込口（１３）、ほぞ素子（１４）、及び、内部電子素子（１５）から単一の電源アダプタの主体を構成し、異なる規格と形態のプタグ（２）を完全に照準結合させる。
【０００９】
図２で示されるように、電源アダプタの上下ハウジング（１１）（１２）の一側上向けに、嵌合槽（１１１、１２１）と嵌合槽（１１１、１２１）上方のほぞ槽（１２２）を設置し、この嵌合槽（１１１、１２１）により、共通差込口（１３）前縁に設けられた定位側槽（１３１）と嵌合され、共通差込口（１３）が嵌合槽（１１１、１２１）内にしっかりと固定される、上方の同一箇所に設けられたほぞ槽（１２２）は、各形態と規格のプラグ（２）底部に設けられたほぞ（２１）に提供され、電源アダプタ主体（１）内部に設けられたほぞ対応素子（１４）と対応し、定位させる。
【００１０】
ほぞユニット（１４）は上下ハウジング間に制限され、ほぞユニット（１４）をほぞ槽（１２２）の位置に対応させ、主に、弾性素子（１４１）、ボタン（１４２）、ほぞ対応素子（１４３）により一体に組み合わされてなる。弾性素子（１４１）は覆蓋式軸棒（１４４）内に位置し、ボタン（１４２）とほぞ素子（１４３）は一体の連動構造であり、且つ、ボタン（１４２）は上ハウジング（１１）の貫通孔（１１２）に対応し、ボタン（１４２）局部を上ハウジング（１１）外に貫出する。ボタン（１４２）を押した後、弾性素子（１４１）が圧縮し、同時に、ほぞ素子（１４３）を連動して退位シフトし、プラグ（２）底部のほぞ（２１）を開放する。  
【００１１】
上述のような構造により、異なる規格と形態のプラグ（２）底部は、共通プラグ（２２）を有し、電源アダプタ主体（１）の共通差込口（１３）に挿入でき、また、底部一側に突出式ほぞ（２１）を有し、このほぞ（２１）はほぞ槽（１２２）を貫通した後、主体（１）内部のほぞ対応素子（１４３）と配合性の定位を形成し、快速に結合する。プラグ（２）を外したい場合、上ハウジング（１１）を貫出するボタン（１４２）を押すと、ほぞユニット（１４）中のほぞ素子（１４３）を退位させ、快速に解除し、取り外すことができる。
【００１２】
図３、図４、図５で示されるように、本考案の電源アダプタ主体（１）は、それぞれ、異なる規格と形態のプラグ（２）に適用でき、例えば、イギリス、アメリカ、オーストラリア規格、或いは、図２の欧州規格等、幅広い実用性と新規性を有する。
【図面の簡単な説明】
【００１３】
【図１】本考案の好ましい外観で、プラグの分解状態を示す図である。
【図２】本考案の各素子の分解構造図である。
【図３】本考案のプラグ実施例図である。
【図４】本考案のプラグ実施例図である。
【図５】本考案のプラグ実施例図である。
【符号の説明】
【００１４】
１        電源アダプタ主体
１１      上ハウジング
１１１    嵌合槽
１１２    貫通孔
１２      下ハウジング
１２１    嵌合槽
１２２    ほぞ槽
１３      共通差込口
１３１    定位側槽
１４      ほぞユニット
１４１    弾性素子
１４２    ボタン
１４３    ほぞ素子
１４４    覆蓋式軸棒
１５      内部電子素子
２        プラグ
２１    ほぞ
２２    共通プラグ
【図１】
0003128357.tif 000003
【図２】
0003128357.tif 000004
【図３】
0003128357.tif 000005
【図４】
0003128357.tif 000006
【図５】
0003128357.tif 000007